(57)【要約】【課題】像担持体の耐久性を向上させることができるようにする。【解決手段】複数の像担持体を備えたカートリッジ枠体１６と、カートリッジ枠体１６に沿って配設され、可撓性を有し、各像担持体にそれぞれ対応する開口部を備えたシャッタ２１と、シャッタ２１をカートリッジ枠体１６方向に引き寄せるための押え部材と、シャッタ２１を、像担持体の併設方向に移動させる移動機構とを有する。移動機構が、シャッタ２１を像担持体の併設方向に移動させるので、シャッタ２１をシャッタ開状態及びシャッタ閉状態に置くことができる。像担持体がシャッタ２１によって覆われるので、像担持体の表面を障害物から十分に保護することができる。外部からの光を受けることがなくなるので、像担持体が劣化するのを抑制することができる。【選択図】図１
2006171397.tif 000002
【特許請求の範囲】
【請求項１】
（ａ）複数の像担持体を備えたカートリッジ枠体と、
（ｂ）該カートリッジ枠体に沿って配設され、可撓性を有し、前記各像担持体にそれぞれ対応する開口部を備えたシャッタと、
（ｃ）該シャッタをカートリッジ枠体方向に引き寄せるための押え部材と、
（ｄ）前記シャッタを、像担持体の併設方向に移動させる移動機構とを有することを特徴とするプロセスカートリッジ。
【請求項２】
前記シャッタは、可撓性のシートから成り、前記移動機構によって、開口部が像担持体と対向する位置と対向しない位置との間を移動させられる請求項１に記載のプロセスカートリッジ。
【請求項３】
（ａ）前記押え部材は、各像担持体間にわたって配設され、
（ｂ）前記シャッタは、各像担持体を包み込むようにして配設される請求項２に記載のプロセスカートリッジ。
【請求項４】
前記押え部材は、カートリッジ枠体に対して移動自在に配設され、前記シートが移動させられている間にカートリッジ枠体から離反させられる請求項２に記載のプロセスカートリッジ。
【請求項５】
前記請求項１〜４に記載のプロセスカートリッジが搭載された画像形成装置。
【発明の詳細な説明】
【技術分野】
【０００１】
本発明は、プロセスカートリッジ及び画像形成装置に関するものである。
【背景技術】
【０００２】
従来、電子写真式のプリンタ、複写機、ファクシミリ等の画像形成装置においては、メンテナンス性を向上させるために、像担持体としての感光体ドラム、帯電ローラ、現像部、クリーニング装置等を一体にしてプロセスカートリッジを形成し、該プロセスカートリッジを画像形成装置の本体、すなわち、装置本体に対して着脱自在に配設するようにしている。
【０００３】
そして、前記プロセスカートリッジには、装置本体から外されて、例えば、台上に置かれたときに外部に露出した感光体ドラムの表面を障害物から保護するために脚が配設される（例えば、特許文献１参照。）。
【特許文献１】特開平７−９２８８３号公報
【発明の開示】
【発明が解決しようとする課題】
【０００４】
しかしながら、前記従来のプロセスカートリッジにおいて、装置本体から外された際、感光体ドラムは外部に露出した状態になるので、感光体ドラムの表面を障害物から十分に保護することができず、また、外部からの光を受けて感光体ドラムが劣化してしまい、感光体ドラムの耐久性が低下してしまう。
【０００５】
本発明は、前記従来のプロセスカートリッジの問題点を解決して、像担持体の耐久性を向上させることができるプロセスカートリッジ及び画像形成装置を提供することを目的とする。
【課題を解決するための手段】
【０００６】
そのために、本発明のプロセスカートリッジにおいては、複数の像担持体を備えたカートリッジ枠体と、該カートリッジ枠体に沿って配設され、可撓性を有し、前記各像担持体にそれぞれ対応する開口部を備えたシャッタと、該シャッタをカートリッジ枠体方向に引き寄せるための押え部材と、前記シャッタを、像担持体の併設方向に移動させる移動機構とを有する。
【発明の効果】
【０００７】
本発明によれば、プロセスカートリッジにおいては、複数の像担持体を備えたカートリッジ枠体と、該カートリッジ枠体に沿って配設され、可撓性を有し、前記各像担持体にそれぞれ対応する開口部を備えたシャッタと、該シャッタをカートリッジ枠体方向に引き寄せるための押え部材と、前記シャッタを、像担持体の併設方向に移動させる移動機構とを有する。
【０００８】
この場合、移動機構が、シャッタを像担持体の併設方向に移動させるので、シャッタをシャッタ開状態及びシャッタ閉状態に置くことができる。したがって、像担持体がシャッタによって覆われ、保護されるので、像担持体の表面を障害物から十分に保護することができ、例えば、操作者が像担持体に誤って触ることがない。また、外部からの光を受けることがなくなるので、像担持体が劣化するのを抑制することができ、像担持体の耐久性を向上させることができる。
【発明を実施するための最良の形態】
【０００９】
以下、本発明の実施の形態について図面を参照しながら詳細に説明する。この場合、画像形成装置としての、電子写真式のカラーのプリンタについて説明する。
【００１０】
図１は本発明の第１の実施の形態におけるプロセスカートリッジの詳細図、図２は本発明の第１の実施の形態におけるプリンタの概略図、図３は本発明の第１の実施の形態におけるプロセスカートリッジの動作を示す第１の図、図４は本発明の第１の実施の形態におけるプロセスカートリッジの動作を示す第２の図、図５は本発明の第１の実施の形態におけるプロセスカートリッジの動作を示す第３の図、図６は本発明の第１の実施の形態におけるシャッタの作動機構を示す斜視図、図７は本発明の第１の実施の形態におけるシャッタの斜視図、図８は本発明の第１の実施の形態におけるガイド部材の斜視図である。
【００１１】
図において、ＰＣはプリンタの装置本体に対して着脱自在に配設されたプロセスカートリッジであり、該プロセスカートリッジＰＣは、一つのカートリッジ枠体１６内に四つの画像形成部１５を備え、各画像形成部１５においてブラック、イエロー、マゼンタ、シアンの４色の画像が現像剤像としてのトナー像として形成される。
【００１２】
そのために、前記各画像形成部１５は、像担持体としての感光体ドラム１１、帯電装置としての帯電ローラ１２、現像剤担持体としての現像ローラ１３、及びクリーニング装置としてのクリーニングブレード１４を備え、各色の現像剤としての図示されないトナーが収容される。また、各画像形成部１５と対応させて、かつ、前記感光体ドラム１１と対向させて露光装置２０が配設される。そして、カートリッジ枠体１６の下方には、転写装置としての転写ユニット３０が各画像形成部１５に沿って配設される。前記転写ユニット３０は、ローラＲ１、Ｒ２、ベルト４２、及び該ベルト４２を挟んで各画像形成部１５の感光体ドラム１１に圧接させられる転写ローラ３４を備え、前記ローラＲ１、Ｒ２を回転させ、ベルト４２を走行させると、図示されない記録媒体としての用紙を、各画像形成部１５に沿って搬送することができる。なお、前記現像ローラ１３、現像剤供給部材としての図示されないトナー供給ローラ、現像ブレード等によって現像器が構成される。
【００１３】
また、本実施の形態においては、四つの画像形成部１５によって４色の画像を形成するようになっているが、三つの画像形成部によってイエロー、マゼンタ、シアンの３色の画像を形成したり、二つの画像形成部１５によってブラックだけの画像を形成したりすることもできる。
【００１４】
前記各画像形成部１５において、帯電ローラ１２が感光体ドラム１１の表面を一様に、かつ、均一に帯電させ、続いて、前記露光装置２０が感光体ドラム１１の表面を露光すると、感光体ドラム１１に静電潜像が形成される。次に、現像器において現像ローラ１３が前記静電潜像にトナーを付着させて現像すると、トナー像が形成される。そして、給紙部５１から給紙された用紙は、媒体供給部４６及び媒体搬送部４７を通過した後、各画像形成部１５と転写ユニット３０との間をベルト４２によって搬送され、その間に、転写ローラ３４は、各色のトナー像を用紙に重ねて転写する。その結果、カラーのトナー像が形成される。
【００１５】
続いて、トナー像が形成された用紙は、定着装置としての定着器５３に送られ、該定着器５３においてトナー像が定着させられ、カラー画像が形成されると、排出部４８、４９によって装置本体外に排出され、スタッカ４５上に積層される。
【００１６】
なお、４１は下ケース、４４は上ケース、４３は該上ケース４４をベルト４２に対して揺動自在に支持するヒンジである。
【００１７】
そして、前記カートリッジ枠体１６に沿って配設され、カートリッジ枠体１６の下面１６Ａの全体を覆うように可撓性を有するシート状のシャッタ２１が感光体ドラム１１の併設方向に移動自在に、かつ、各感光体ドラム１１を包み込むようにして配設され、該シャッタ２１より下方に、下面１６Ａと所定の隙間を形成して、押え部材としてのガイド部材３１が配設される。該ガイド部材３１は、カートリッジ枠体１６に取り付けられ、前記シャッタ２１をカートリッジ枠体１６側に引き寄せる。前記シャッタ２１は、樹脂、本実施の形態においては、ポリエチレンから成り、図７に示されるように、感光体ドラム１１の下端の所定の部分を露出させるために、所定のピッチで感光体ドラム１１と同数の四つの開口部２２を備える。そして、各開口部２２以外の部分に遮蔽部８４が形成される。本実施の形態において、シャッタ２１は、ポリエチレンから成るようになっているが、ポリエステル、ウレタン、塩化ビニル等の可撓性を有する材料を使用することもできる。
【００１８】
そして、前記シャッタ２１における一端、すなわち、プリンタの定着器５３側の端部に操作バー２３が、シャッタ２１における他端、すなわち、ベルト４２の媒体搬送部４７側の端部に復元バー２４が、シャッタ２１の幅方向に沿って取り付けられる。そして、前記操作バー２３は、両端に、操作バー２３から直角の方向に立ち上げて形成されたアーム８１を備え、該各アーム８１は、先端に、内側に向けて、すなわち、シャッタ２１における中央部分に向けて突出させて形成された揺動支持部としてのピン２５を備える。また、前記復元バー２４は、両端に、復元バー２４から直角の方向に立ち上げて形成されたアーム８２を備え、該各アーム８２は、先端に、シャッタ２１における中央部分に向けて突出させて形成された揺動支持部としてのピン２７を備える。なお、前記シャッタ２１、操作バー２３及び復元バー２４によってシャッタユニットが構成される。
【００１９】
そして、前記操作バー２３は、カートリッジ枠体１６における定着器５３側の所定の箇所に、ピン２５を揺動中心にして揺動自在に取り付けられ、前記復元バー２４は、カートリッジ枠体１６における媒体搬送部４７側の所定の箇所に、ピン２７を揺動中心にして揺動自在に取り付けられる。また、前記操作バー２３が矢印Ａ方向に、復元バー２４が矢印Ｂ方向に回動させられたときに、所定の位置でシャッタ２１を停止させることができるように、シャッタ２１におけるプリンタの定着器５３側の端部の所定の箇所に、規制部材としてのストッパ２６が取り付けられる。そして、前記復元バー２４は、ねじりばね、引張りばね等の弾性体から成る付勢部材としての図示されないばねによって所定の付勢力で矢印Ｂ方向に付勢される。
【００２０】
また、前記ガイド部材３１は、サイドプレート３１ａ、及びボトムプレート３１ｂを備え、該ボトムプレート３１ｂには、前記各開口部２２に対応させてガイド部２９が所定のピッチで形成され、各ガイド部２９に隣接させて開口部８５が形成される。そして、各開口部８５内に感光体ドラム１１が進入させられる。
【００２１】
したがって、初期状態において、シャッタユニットは図３に示されるシャッタ閉状態に置かれ、各開口部２２と各ガイド部２９とが一致させられる。そして、各開口部８５において、各感光体ドラム１１は遮蔽部８４によって遮蔽される。
【００２２】
続いて、図４に示されるように、操作バー２３を矢印Ｃ方向に回動させると、カートリッジ枠体１６に対してシャッタ２１が矢印Ｄ方向（用紙の搬送方向）に移動させられ、シャッタユニットはシャッタ開状態に置かれる。その結果、開口部２２が感光体ドラム１１に沿って移動し、開口部８５内に一部が進入し、それに伴って、感光体ドラム１１が開口部２２を介して露出させられる。そして、操作バー２３を図５に示される状態にすると、開口部８５内に開口部２２が完全に進入すると、感光体ドラム１１が開口部２２を介して完全に露出させられる。
【００２３】
続いて、操作バー２３を矢印Ｃ方向と反対の方向に回動させると、シャッタ２１は復元バー２４に付勢された復元力によって矢印Ｄ方向と反対の方向に回動させられ、シャッタユニットは再びシャッタ閉状態に置かれる。このように、シャッタ２１は、開口部２２が感光体ドラム１１と対向する位置と、対向しない位置との間を移動させられる。
【００２４】
ところで、カートリッジ枠体１６の下面１６Ａの感光体ドラム１１の両端部付近には、弧状の形状を有するプロテクタ１６Ｂが下方に向けて突出させて形成され、プロテクタ１６Ｂの外周縁は、感光体ドラム１１の外周面よりわずかに外方に位置させられる。したがって、シャッタ２１は常にプロテクタ１６Ｂに沿って移動させられ、シャッタ２１と感光体ドラム１１とが接触することはない。
【００２５】
なお、前述されたように、各開口部８５に隣接させてガイド部２９が形成されるので、シャッタ２１は、各プロテクタ１６Ｂの外側、及び下面１６Ａと各ガイド部２９との間を交互に通り、波打った状態で配設される。この波打ちによってシャッタ２１が、各感光体ドラム１１を包み込むように配設されるので、シャッタ２１に複数の開口部２２が形成されていても、あらゆる方向から感光体ドラム１１を保護することができる。
【００２６】
次に、前記構成のシャッタユニットの動作について説明する。
【００２７】
この場合、プリンタの装置本体には、係止部としてのバー２８がカートリッジ枠体１６に向けて突出させて形成され、前記バー２８、復元バー２４、ばね等によって、シャッタ２１を感光体ドラム１１の併設方向に移動させる移動機構が構成される。
【００２８】
そして、前記プロセスカートリッジＰＣが装置本体に装着されていないときは、図３に示されるように、シャッタ２１は復元バー２４によって矢印Ｂ方向に引っ張られ、操作バー２３がストッパ２６に当接させられ、シャッタユニットはシャッタ閉状態に置かれる。
【００２９】
次に、プロセスカートリッジＰＣを装置本体に装着する際には、図４及び５に示されるように、装置本体の上方からカートリッジ枠体１６を水平に降ろしていく。このとき、操作バー２３とバー２８とが係止させられ、カートリッジ枠体１６を降下していくに従って操作バー２３は矢印Ｃ方向に回動させられる。
【００３０】
これに伴って、シャッタ２１はガイド部２９及びプロテクタ１６Ｂに沿って変形しながら矢印Ｄ方向に移動させられ、復元バー２４は矢印Ｂ方向と反対の方向に回動させられる。そして、感光体ドラム１１とベルト４２とが当接する位置までくると、各開口部２２、８５の位置が一致し、各感光体ドラム１１が露出し、シャッタユニットはシャッタ開状態になる。
【００３１】
なお、シャッタ２１の開口部２２以外の部分、すなわち、遮蔽部８４は、ガイド部２９、操作レバー２３及び復元レバー２４によって上方に持ち上げられているので、シャッタ２１がベルト４２と干渉することはなく、印刷が可能になる。
【００３２】
一方、プロセスカートリッジＰＣを装置本体から取り外す際には、プロセスカートリッジＰＣをプリンタの上方に向けて水平に持ち上げる。このとき、装置本体に配設されたバー２８は固定されていて、移動しないので、カートリッジ枠体１６を上昇させていくに従って操作バー２３は、前記復元バー２４に加わる付勢力によって矢印Ａ方向に回動させられ、続いて、操作バー２３とバー２８との係止が解除される。
【００３３】
これに伴って、シャッタ２１はガイド部２９及びプロテクタ１６Ｂに沿って変形しながら矢印Ｄ方向と反対の方向に移動させられ、復元バー２４は矢印Ｂ方向に回動させられる。そして、操作バー２３がストッパ２６に当接させられると、開口部２２がガイド部２９によって、開口部８５が遮蔽部８４によって遮蔽され、各感光体ドラム１１が露出しなくなり、シャッタユニットはシャッタ閉状態になる。
【００３４】
このように、本実施の形態においては、プロセスカートリッジＰＣを装置本体から取り外すと、感光体ドラム１１がシャッタ２１によって覆われ、保護されるので、感光体ドラム１１の表面を障害物から十分に保護することができ、例えば、操作者が感光体ドラム１１に誤って触ることがない。また、外部からの光を受けることがなくなるので、感光体ドラム１１が劣化するのを抑制することができ、感光体ドラム１１の耐久性を向上させることができる。
【００３５】
さらに、各感光体ドラム１１に対応する数の開口部２２が形成された１枚のシートでシャッタ２１を形成することができるので、感光体ドラム１１を保護するための部品点数を少なくすることができ、プリンタのコストを低くすることができる。
【００３６】
また、複数の画像形成部１５を備えていても、すべての感光体ドラム１１を保護することができ、各感光体ドラム１１にそれぞれ保護部材を配設する必要がないので、部品点数を少なくすることができる。
【００３７】
ところで、本実施の形態においては、ガイド部２９によってシャッタ２１をカートリッジ枠体１６側に近接させ、プロテクタ１６Ｂ及びガイド部２９によってシャッタ２１を波打たせた状態にしているが、例えば、プロセスカートリッジＰＣに備えられた感光体ドラム１１の数が多くなった場合、シャッタ２１の波打ち数が多くなり、シャッタ２１を移動させる際に大きな抵抗が発生し、シャッタ２１が動きにくくなったり、破損したりし、シャッタユニットの耐久性が低くなってしまう。
【００３８】
そこで、シャッタユニットの耐久性を向上させることができるようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００３９】
図９は本発明の第２の実施の形態におけるプリンタの概略図、図１０は本発明の第２の実施の形態におけるプロセスカートリッジの動作を示す第１の図、図１１は本発明の第２の実施の形態におけるプロセスカートリッジの動作を示す第２の図、図１２は本発明の第２の実施の形態におけるプロセスカートリッジの動作を示す第３の図である。
【００４０】
この場合、押え部材としてのガイド部材７１は、各感光体ドラム１１間にわたって、かつ、カートリッジ枠体１６に対して移動自在に配設され、ガイド部材７１とカートリッジ枠体１６との間に、カートリッジ枠体１６に対してガイド部材７１を進退させるための進退機構としての上下動機構が配設される。すなわち、ガイド部材７１における両側のサイドプレート７１ａの２箇所に、上方に向けて突出させてブラケット部７１ｂが形成される。また、カートリッジ枠体１６の２箇所に「Ｌ」字状の形状を有するガイドレバー６１が支点６２を揺動中心にして揺動自在に配設される。なお、ガイドレバー６１は折曲部から延びる二つの腕部を備え、前記支点６２は折曲部に形成される。
【００４１】
そして、前記ガイドレバー６１の、ほぼ水平に延びる一方の腕部の先端は、前記ブラケット部７１ｂと揺動自在に連結される。したがって、シャッタ２１の開閉動作時、すなわち、シャッタユニットをシャッタ閉状態に置いたり、シャッタ開状態に置いたりする場合に、前記ガイドレバー６１を矢印Ｅ方向に回動させると、ガイド部材７１を矢印Ｆ方向（下方向）に、すなわち、カートリッジ枠体１６から離れる方向に移動させ、離反させることができるので、シャッタ２１の波打ち数を少なくすることができる。その結果、シャッタ２１を移動させる際に大きな抵抗が発生することがなくなり、シャッタ２１が動きにくくなったり、破損したりすることがなくなるので、シャッタユニットの耐久性を高くすることができる。
【００４２】
また、前記ガイドレバー６１を矢印Ｇ方向に回動させると、ガイド部材７１を矢印Ｈ方向（上方向）に、すなわち、カートリッジ枠体１６に近づく方向に移動させ、近接させることができる。
【００４３】
そして、前記ガイドレバー６１を矢印Ｅ方向又は矢印Ｇ方向に回動させるために、ガイドレバー６１の、ほぼ垂直に延びる他方の腕部の先端に、円形の形状を有するカム６３が突出させて形成され、一方、装置本体には、カートリッジ枠体１６を収容する収容部の壁部に、上下方向に延びるカム溝６４が形成され、該カム溝６４と前記カム６３とが係合させられる。
【００４４】
次に、前記構成のシャッタユニットの動作について説明する。
【００４５】
前記プロセスカートリッジＰＣが装置本体に装着されていないときは、図１０に示されるように、シャッタ２１は復元バー２４によって矢印Ｂ方向に引っ張られ、操作バー２３がストッパ２６に当接させられ、シャッタユニットはシャッタ閉状態に置かれる。
【００４６】
次に、プロセスカートリッジＰＣを装置本体に装着する際には、図１１に示されるように、装置本体の上方からカートリッジ枠体１６を水平に降ろしていく。このとき、カム６３とカム溝６４とが噛み合い、更にカートリッジ枠体１６を降ろしていくと、カム作用によってガイドレバー６１が矢印Ｅ方向に回動させられ、同時にガイド部材７１が矢印Ｆ方向に離れていく。
【００４７】
また、操作バー２３とバー２８とが係止させられ、カートリッジ枠体１６を降下していくに従って操作バー２３は矢印Ｃ方向に回動させられるが、ガイド部材７１はカートリッジ枠体１６から離れた状態を維持するので、シャッタ２１の波打ち数を少なくすることができる。
【００４８】
そして、カートリッジ枠体１６が装着位置に近づくと、図１２に示されるように、カム作用によってガイドレバー６１が矢印Ｇ方向に戻り始め、同時にガイド部材７１もカートリッジ枠体１６の方向に近接し始める。そして、感光体ドラム１１とベルト４２とが当接すると、シャッタユニットはシャッタ開状態になり、ガイド部材７１も当初の位置に戻される。これにより、シャッタ２１又はガイド部材７１がベルト４２と干渉することはなく、印字が可能となる。
【００４９】
一方、プロセスカートリッジＰＣを装置本体から取り外す際には、プロセスカートリッジＰＣをプリンタの上方に向けて水平に持ち上げる。そして、プロセスカートリッジＰＣの持上げを開始すると、カム作用によってガイドレバー６１は矢印Ｅ方向に倒され、同時にサイドプレート７１ａ及びガイド部材７１が矢印Ｆ方向に離れていく。前記プロセスカートリッジＰＣを持ち上げているとき、このとき、装置本体に配設されたバー２８は固定されていて、移動しないので、カートリッジ枠体１６を上昇させていくに従って操作バー２３は、前記復元バー２４に加わる付勢力によって矢印Ａ方向に回動させられ、続いて、操作バー２３とバー２８との係止が解除される。この間、ガイド部材７１がカートリッジ枠体１６から離れているので、シャッタ２１の波打ち数を少なくすることができる。したがって、シャッタ２１を移動させる際に発生する抵抗を小さくすることができるので、シャッタ２１が動きにくくなったり、破損したりすることがなくなり、シャッタユニットの耐久性を向上させることができる。
【００５０】
そして、操作バー２３がストッパ２６に当接すると、シャッタ２１の移動が停止させられる。
【００５１】
さらに、カートリッジ枠体１６を持ち上げると、カム作用によってガイドレバー６１は矢印Ｇ方向に回動させられ、これに伴って、ガイド部材７１が矢印Ｈ方向に移動させられてシャッタ２１を押し上げ、波打たせる。そして、シャッタ２１の遮蔽部８４が感光体ドラム１１を包み込むような状態になり、シャッタユニットはシャッタ閉状態になる。
【００５２】
このように、本実施の形態においては、シャッタ２１を移動させる際に、ガイド部材７１がカートリッジ枠体１６から離れる方向に移動させられるので、シャッタ２１の波打ち数を少なくすることができる。したがって、シャッタ２１を移動させる際に発生する抵抗を小さくすることができるので、シャッタ２１が動きにくくなったり、破損したりすることがなくなり、シャッタユニットの耐久性を向上させることができる。
【００５３】
また、ガイド部２９が開口部２２より大きくなるように形成すると、すべての開口部２２をガイド部２９によって覆うことができる。したがって、外部から光を受けることがなくなるので、感光体ドラム１１が劣化するのを抑制することができ、感光体ドラム１１の耐久性を向上させることができる。
【００５４】
各実施の形態においては、画像形成装置として、電子写真式のプリンタについて説明したが、本発明を、複写機、ファクシミリ、複合機（ＭＦＰ）等に適用することもできる。
【００５５】
なお、本発明は前記実施の形態に限定されるものではなく、本発明の趣旨に基づいて種々変形させることが可能であり、それらを本発明の範囲から排除するものではない。
【図面の簡単な説明】
【００５６】
【図１】本発明の第１の実施の形態におけるプロセスカートリッジの詳細図である。
【図２】本発明の第１の実施の形態におけるプリンタの概略図である。
【図３】本発明の第１の実施の形態におけるプロセスカートリッジの動作を示す第１の図である。
【図４】本発明の第１の実施の形態におけるプロセスカートリッジの動作を示す第２の図である。
【図５】本発明の第１の実施の形態におけるプロセスカートリッジの動作を示す第３の図である。
【図６】本発明の第１の実施の形態におけるシャッタの作動機構を示す斜視図である。
【図７】本発明の第１の実施の形態におけるシャッタの斜視図である。
【図８】本発明の第１の実施の形態におけるガイド部材の斜視図である。
【図９】本発明の第２の実施の形態におけるプリンタの概略図である。
【図１０】本発明の第２の実施の形態におけるプロセスカートリッジの動作を示す第１の図である。
【図１１】本発明の第２の実施の形態におけるプロセスカートリッジの動作を示す第２の図である。
【図１２】本発明の第２の実施の形態におけるプロセスカートリッジの動作を示す第３の図である。
【符号の説明】
【００５７】
１１    感光体ドラム
１６    カートリッジ枠体
２１    シャッタ
２２    開口部
２４    復元バー
２８    バー
３１、７１    ガイド部材
ＰＣ    プロセスカートリッジ
【図１】
2006171397.tif 000003
【図２】
2006171397.tif 000004
【図３】
2006171397.tif 000005
【図４】
2006171397.tif 000006
【図５】
2006171397.tif 000007
【図６】
2006171397.tif 000008
【図７】
2006171397.tif 000009
【図８】
2006171397.tif 000010
【図９】
2006171397.tif 000011
【図１０】
2006171397.tif 000012
【図１１】
2006171397.tif 000013
【図１２】
2006171397.tif 000014